(57)【要約】【課題】  ２つ以上の所定規格コネクタを備えるコネクタであって、２つ以上の所定規格コネクタの実装時における位置及び姿勢のずれを確実に吸収することができるコネクタを提供する。【解決手段】  相手コネクタと嵌合する第１嵌合部を有する複数の所定規格コネクタ２ａ，２ｂと、前記複数の所定規格コネクタを覆い、前記複数の所定規格コネクタのそれぞれを直接保持するカバー５と、複数の前記第１嵌合部のそれぞれを前記カバーから露出させる複数の第１開口部と、を備え、前記所定規格コネクタの外壁部と少なくとも１つの前記第１開口部を形成する壁部との間には、前記相手コネクタと嵌合する嵌合方向と交差する交差平面において前記カバーに対して、前記少なくとも１つの第１開口部から前記第１嵌合部を露出させている前記所定規格コネクタが移動できるように、所定のスペースが形成されており、前記カバーに対する前記所定規格コネクタの位置及び姿勢の少なくとも一方を制御する第１制御部を備える。【選択図】図１
2018026366.tif 000002
【特許請求の範囲】
【請求項１】
相手コネクタと嵌合する第１嵌合部を有する複数の所定規格コネクタと、
前記複数の所定規格コネクタを覆い、前記複数の所定規格コネクタのそれぞれを直接保持するカバーと、
複数の前記第１嵌合部のそれぞれを前記カバーから露出させる複数の第１開口部と、を備え、
前記所定規格コネクタの外壁部と少なくとも１つの前記第１開口部を形成する壁部との間には、前記相手コネクタと嵌合する嵌合方向と交差する交差平面において前記カバーに対して、前記少なくとも１つの第１開口部から前記第１嵌合部を露出させている前記所定規格コネクタが移動できるように、所定のスペースが形成されており、
前記カバーに対する前記所定規格コネクタの位置及び姿勢の少なくとも一方を制御する第１制御部を備えることを特徴とするコネクタ。
【請求項２】
前記第１制御部は、前記少なくとも１つの第１開口部を形成する壁部及び前記所定規格コネクタの外壁部に接続することを特徴とする請求項１記載のコネクタ。
【請求項３】
前記第１制御部は、前記所定規格コネクタの外壁部または前記少なくとも１つの第１開口部を形成する壁部に設けられることを特徴とする請求項１または請求項２記載のコネクタ。
【請求項４】
前記第１制御部は、前記所定規格コネクタと前記カバーとの間に設けられることを特徴とする請求項１または請求項２記載のコネクタ。
【請求項５】
前記カバーと前記所定規格コネクタのシェルとは、導通していることを特徴とする請求項１〜請求項４の何れか一項に記載のコネクタ。
【請求項６】
前記所定規格コネクタの移動に伴い追従するフレキシブル部と、
前記所定規格コネクタに対して固定され、前記フレキシブル部の一方を保持する第１保持部と、
前記カバーに設けられ、前記フレキシブル部の他方を保持する第２保持部と、
を備えることを特徴とする請求項１〜請求項５の何れか一項に記載のコネクタ。
【請求項７】
前記所定規格コネクタは、USB Type Cであることを特徴とする請求項１〜請求項６の何れか一項に記載のコネクタ。
【請求項８】
相手コネクタと嵌合する第１嵌合部を有する第１コネクタと、
前記第１コネクタを覆い、前記第１コネクタを保持するカバーと、
前記第１嵌合部を前記カバーから露出させる第１開口部と、を備え、
前記第１コネクタの外壁部と前記第１開口部を形成する壁部との間には、前記相手コネクタと嵌合する嵌合方向と交差する交差平面において前記カバーに対して前記第１コネクタが移動できるように、所定のスペースが形成されており、
前記カバーに対する前記第１コネクタの位置及び姿勢の少なくとも一方を制御する第１制御部を備え、
前記第１制御部は、
前記第１開口部が形成されている面と直交する方向に、前記第１コネクタを支持する凸部と、
前記第１開口部が形成されている面に対して前記第１コネクタが傾いた際に、前記第１コネクタの傾きを補正する補正部と、を備え、
前記凸部及び前記補正部を用いて前記カバーに対する前記第１コネクタの姿勢を制御することを特徴とするコネクタ。
【請求項９】
前記第１制御部は、前記第１開口部を形成する壁部及び前記第１コネクタの外壁部に接続することを特徴とする請求項８記載のコネクタ。
【請求項１０】
前記第１制御部は、前記第１コネクタの外壁部または前記第１開口部を形成する壁部に設けられることを特徴とする請求項８または請求項９記載のコネクタ。
【請求項１１】
前記第１制御部は、前記第１コネクタと前記カバーとの間に設けられることを特徴とする請求項８または請求項９記載のコネクタ。
【請求項１２】
前記カバーと前記第１コネクタのシェルとは、導通していることを特徴とする請求項８〜請求項１１の何れか一項に記載のコネクタ。
【請求項１３】
前記第１コネクタの移動に伴い追従するフレキシブル部と、
前記第１コネクタに対して固定され、前記フレキシブル部の一方を保持する第１保持部と、
前記カバーに設けられ、前記フレキシブル部の他方を保持する第２保持部と、
を備えることを特徴とする請求項８〜請求項１２の何れか一項に記載のコネクタ。
【請求項１４】
相手追加コネクタと接続する追加コネクタを備え、
前記カバーは、前記追加コネクタを覆い、前記追加コネクタの前記相手追加コネクタと嵌合する嵌合部を露出させるための第２開口部を有し、
前記追加コネクタの外壁部と前記第２開口部を形成する壁部との間には、前記交差平面において前記追加コネクタが移動できるように所定のスペースが形成されており、
前記第２開口部に対する前記追加コネクタの位置及び姿勢の少なくとも一方を制御する第２制御部を備えることを特徴とする請求項１〜請求項１３の何れか一項に記載のコネクタ。
【請求項１５】
前記第１制御部及び前記第２制御部は、弾性体を含むことを特徴とする請求項１４記載のコネクタ。
【請求項１６】
前記第２制御部は、前記追加コネクタの外壁部または前記第２開口部を形成する壁部に設けられることを特徴とする請求項１４または請求項１５記載のコネクタ。
【発明の詳細な説明】
【技術分野】
【０００１】
本発明は、複数の所定規格コネクタを備えたコネクタに関するものである。
【背景技術】
【０００２】
高速伝送を実現させるべく、多数のコンタクトを有するコネクタが存在する。例えば特許文献１には、多数のコンタクトが配列されている一対のコネクタを有し、一方のコネクタを他方のコネクタに嵌合させるコネクタについて記載されている。
【先行技術文献】
【特許文献】
【０００３】
【特許文献１】特開平１１−２８８７６０号公報
【発明の概要】
【発明が解決しようとする課題】
【０００４】
ところで、特許文献１記載のコネクタにおいて、一方のコネクタは、他方のコネクタとのみ嵌合可能であるが、他方のコネクタと異なる規格のコネクタを嵌合させることはできない。
【０００５】
そこで、USB Type C等の標準規格準拠のコネクタ（以下、所定規格コネクタという。）を２つ以上有するコネクタを使用することが検討されている。例えば２つの所定規格レセプタクルコネクタを有するレセプタクルコネクタの場合、２つの所定規格プラグコネクタを有するプラグコネクタと接続可能なだけでなく、１つの所定規格プラグコネクタを搭載した機器やケーブルと接続させることもできる。即ち、レセプタクルコネクタが有する２つの所定規格レセプタクルコネクタのうちの一方を、１つの所定規格プラグコネクタを搭載した機器やケーブルに接続させることができる。更には、上記レセプタクルコネクタが有する２つの所定規格レセプタクルコネクタのうちの他方を、所定規格プラグコネクタを搭載した他の機器や他のケーブルに接続させることも可能となる。
【０００６】
しかしながら、上述のような２つ以上の所定規格コネクタを有するコネクタを組み立てる工程において、２つの所定規格コネクタを正確な位置に且つ正確な姿勢で実装するのは困難であった。実装時における２つの所定規格コネクタの位置及び姿勢にずれが生じると、所定規格コネクタが相手コネクタと接続する際に接続不良を生じるおそれや、所定規格コネクタが相手コネクタと嵌合する際に破損するおそれがあった。
【０００７】
また、コンタクトを増やすことにより更なる高速伝送を実現させるために、上述のような２つ以上の所定規格コネクタを備えたコネクタに、追加のコネクタを搭載することが求められている。しかしながら、追加のコネクタを搭載した場合においても、コネクタを組み立てる工程において、２つの所定規格コネクタと追加のコネクタを正確な位置に且つ正確な姿勢で実装するのは困難であった。
【０００８】
本発明の目的は、２つ以上の所定規格コネクタを備えるコネクタであって、２つ以上の所定規格コネクタの実装時における位置及び姿勢のずれを確実に吸収することができるコネクタを提供することである。
【課題を解決するための手段】
【０００９】
本発明のコネクタは、相手コネクタと嵌合する第１嵌合部を有する複数の所定規格コネクタと、前記複数の所定規格コネクタを覆い、前記複数の所定規格コネクタのそれぞれを直接保持するカバーと、複数の前記第１嵌合部のそれぞれを前記カバーから露出させる複数の第１開口部と、を備え、前記所定規格コネクタの外壁部と少なくとも１つの前記第１開口部を形成する壁部との間には、前記相手コネクタと嵌合する嵌合方向と交差する交差平面において前記カバーに対して、前記少なくとも１つの第１開口部から前記第１嵌合部を露出させている前記所定規格コネクタが移動できるように、所定のスペースが形成されており、前記カバーに対する前記所定規格コネクタの位置及び姿勢の少なくとも一方を制御する第１制御部を備えることを特徴とする。
【００１０】
また本発明のコネクタは、前記第１制御部が前記少なくとも１つの第１開口部を形成する壁部及び前記所定規格コネクタの外壁部に接続することを特徴とする。
【００１１】
また本発明のコネクタは、前記第１制御部が前記所定規格コネクタの外壁部もしくは前記少なくとも１つの第１開口部を形成する壁部、または前記所定規格コネクタと前記カバーとの間に設けられることを特徴とする。
【００１２】
また本発明のコネクタは、前記カバーと前記所定規格コネクタのシェルとが導通していることを特徴とする。
【００１３】
また本発明のコネクタは、前記所定規格コネクタの移動に伴い追従するフレキシブル部と、前記所定規格コネクタに対して固定され、前記フレキシブル部の一方を保持する第１保持部と、前記カバーに設けられ、前記フレキシブル部の他方を保持する第２保持部と、を備えることを特徴とする。
【００１４】
また本発明のコネクタは、前記所定規格コネクタがUSB Type Cであることを特徴とする。
【００１５】
また本発明のコネクタは、相手コネクタと嵌合する第１嵌合部を有する第１コネクタと、前記第１コネクタを覆い、前記第１コネクタを保持するカバーと、前記第１嵌合部を前記カバーから露出させる第１開口部と、を備え、前記第１コネクタの外壁部と前記第１開口部を形成する壁部との間には、前記相手コネクタと嵌合する嵌合方向と交差する交差平面において前記カバーに対して前記第１コネクタが移動できるように、所定のスペースが形成されており、前記カバーに対する前記第１コネクタの位置及び姿勢の少なくとも一方を制御する第１制御部を備え、前記第１制御部は、前記第１開口部が形成されている面と直交する方向に、前記第１コネクタを支持する凸部と、前記第１開口部が形成されている面に対して前記第１コネクタが傾いた際に、前記第１コネクタの傾きを補正する補正部と、を備え、前記凸部及び前記補正部を用いて前記カバーに対する前記第１コネクタの姿勢を制御することを特徴とする。
【００１６】
また本発明のコネクタは、前記第１制御部が前記第１開口部を形成する壁部及び前記第１コネクタの外壁部に接続することを特徴とする。
【００１７】
また本発明のコネクタは、前記第１制御部が前記第１コネクタの外壁部もしくは前記第１開口部を形成する壁部、または前記第１コネクタと前記カバーとの間に設けられることを特徴とする。
【００１８】
また本発明のコネクタは、前記カバーと前記第１コネクタのシェルとが導通していることを特徴とする。
【００１９】
また本発明のコネクタは、前記第１コネクタの移動に伴い追従するフレキシブル部と、前記第１コネクタに対して固定され、前記フレキシブル部の一方を保持する第１保持部と、前記カバーに設けられ、前記フレキシブル部の他方を保持する第２保持部と、を備えることを特徴とする。
【００２０】
また本発明のコネクタは、相手追加コネクタと接続する追加コネクタを備え、前記カバーは、前記追加コネクタを覆い、前記追加コネクタの前記相手追加コネクタと嵌合する嵌合部を露出させるための第２開口部を有し、前記追加コネクタの外壁部と前記第２開口部を形成する壁部との間には、前記交差平面において前記追加コネクタが移動できるように所定のスペースが形成されており、前記第２開口部に対する前記追加コネクタの位置及び姿勢の少なくとも一方を制御する第２制御部を備えることを特徴とする。
【００２１】
また本発明のコネクタは、前記第１制御部及び前記第２制御部が弾性体を含むことを特徴とする。
【００２２】
また本発明のコネクタは、前記第２制御部が前記追加コネクタの外壁部または前記第２開口部を形成する壁部に設けられることを特徴とする。
【発明の効果】
【００２３】
本発明によれば、２つ以上の所定規格コネクタを備えるコネクタであって、２つ以上の所定規格コネクタの実装時における位置及び姿勢のずれを確実に吸収することができるコネクタを提供することができる。
【図面の簡単な説明】
【００２４】
【図１】第１の実施の形態に係るコネクタの外観を示す斜視図である。
【図２】第１の実施の形態に係るコネクタを上方向から視た図である。
【図３】第１の実施の形態に係るコネクタから筐体を取り外した状態を示す図である。
【図４】マウントプレートからプラグコネクタ及び追加プラグコネクタを取り外した状態を示す図である。
【図５】第１の実施の形態に係るプラグコネクタの構成を示す分解図である。
【図６】第１の実施の形態に係るプラグコネクタの構成を示す端面図である。
【図７】第１の実施の形態に係るプラグコネクタの第１コンタクトと第１導体との接触部分、及び第２コンタクトと第２導体との接触部分の構成を示す拡大図である。
【図８】第１の実施の形態に係るプラグコネクタの構成を示す端面図である。
【図９】第１の実施の形態に係るプラグコネクタのグランドプレートと第１シールド部との接触部分の構成を示す拡大図である。
【図１０】第１の実施の形態に係る追加プラグコネクタの構成を示す分解図である。
【図１１】グランドプレートと第１シールド部との接触部分の他の構成を示す拡大図である。
【図１２】第２の実施の形態に係るプラグドッキングコネクタの外観を示す斜視図である。
【図１３】第２の実施の形態に係るプラグドッキングコネクタの外観を示す底面図である。
【図１４】第２の実施の形態に係るプラグドッキングコネクタの構成を示す分解図である。
【図１５】第２の実施の形態に係る前カバーの外観を示す斜視図である。
【図１６】第２の実施の形態に係る制御部の構成を示す図である。
【図１７】第２の実施の形態に係るプラグドッキングコネクタの構成を示す断面図である。
【図１８】第２の実施の形態に係るレセプタクルドッキングコネクタの外観を示す斜視図である。
【図１９】第２の実施の形態に係るレセプタクルドッキングコネクタの外観を示す正面図である。
【図２０】第２の実施の形態に係るレセプタクルドッキングコネクタの外観を示す平面図である。
【図２１】第２の実施の形態に係るレセプタクルドッキングコネクタの外観を示す底面図である。
【図２２】第２の実施の形態に係るレセプタクルドッキングコネクタの構成を示す分解図である。
【図２３】第２の実施の形態に係るレセプタクルドッキングコネクタの構成を示す分解図である。
【図２４】第２の実施の形態に係るレセプタクルドッキングコネクタの構成を示す断面図である。
【図２５】第２の実施の形態に係るレセプタクルドッキングコネクタの構成を示す断面図である。
【図２６】他のプラグドッキングコネクタの外観を示す斜視図である。
【図２７】他のプラグドッキングコネクタの外観を示す底面図である。
【図２８】他のプラグドッキングコネクタの構成を示す分解図である。
【図２９】他のプラグドッキングコネクタの構成を示す断面図である。
【図３０】他のレセプタクルドッキングコネクタの外観を示す斜視図である。
【図３１】他のレセプタクルドッキングコネクタの外観を示す正面図である。
【図３２】他のレセプタクルドッキングコネクタの構成を示す分解図である。
【図３３】他のレセプタクルドッキングコネクタの構成を示す断面図である。
【発明を実施するための形態】
【００２５】
以下、図面を参照して本発明の第１の実施の形態に係るコネクタ（プラグコネクタ）について説明する。図１はこの第１の実施の形態に係るコネクタの外観を示す斜視図、図２は上方向から視た図である。図１及び図２に示すように、コネクタ１は、２つのUSB Type C規格準拠プラグコネクタ（以下、単にプラグコネクタという。）２ａ，２ｂ、追加プラグコネクタ３、筐体４、及びマウントプレート５を備えている。なお、図１及び図２においては、プラグコネクタ２ａ，２ｂに、第１フレキシブルフラットケーブル（以下、第１ＦＦＣという。）３５ａ，図示しない第２フレキシブルフラットケーブル（以下、第２ＦＦＣという。），第１ＦＦＣ３５ｂ及び第２ＦＦＣ３６ｂ（図６参照）が接続されている状態を示している。
【００２６】
また、以下の説明においては、図１に示すＸＹＺ直交座標系を設定し、この直交座標系を参照しつつ各部材の位置関係等について説明する。Ｘ軸は、プラグコネクタ２ａ，追加プラグコネクタ３及びプラグコネクタ２ｂを配置する方向に平行となるように設定されている。Ｙ軸は、コネクタ１を相手コネクタ（レセプタクルコネクタ、図示せず）に嵌合させる方向に平行となるように設定されている。Ｚ軸は、ＸＹ平面に直交する方向に設定されている。また、プラグコネクタ２ｂ側が＋Ｘ方向及びプラグコネクタ２ａ側が−Ｘ方向となるように、相手コネクタにコネクタ１を嵌合させる方向が＋Ｙ方向及び相手コネクタからコネクタ１を抜去させる方向が−Ｙ方向となるように設定されている。
【００２７】
図３は、コネクタ１から筐体４を取り外した状態を示す図である。図３に示すように、筐体４の−Ｘ方向側には、プラグコネクタ２ａを覆い、プラグコネクタ２ａが図示しないUSB Type C規格準拠レセプタクルコネクタ（以下、単にレセプタクルコネクタという。）と嵌合する嵌合部８ａを露出させるための第１開口部６ａが形成されている。また、筐体４の＋Ｘ方向側には、プラグコネクタ２ｂを覆い、プラグコネクタ２ｂがレセプタクルコネクタ（図示せず）と嵌合する嵌合部８ｂを露出させるための第１開口部６ｂが形成されている。さらに、第１開口部６ａと第１開口部６ｂとの間には、追加プラグコネクタ３を覆い、追加プラグコネクタ３が相手追加レセプタクルコネクタ（図示せず）と嵌合する嵌合部９を露出させるための第２開口部７が形成されている。
【００２８】
プラグコネクタ２ａの外壁部、即ち後述するプラグシェル３３ａと、第１開口部６ａを形成する壁部１０ａとの間には、図１に示すように、第１開口部６ａが形成される面（ＺＸ平面）においてプラグコネクタ２ａが移動できるように、所定のスペースが形成されている。同様に、プラグコネクタ２ｂの外壁部、即ち後述するプラグシェル３３ｂと、第１開口部６ｂを形成する壁部１０ｂとの間には、第１開口部６ｂが形成される面（ＺＸ平面）においてプラグコネクタ２ｂが移動できるように、所定のスペースが形成されている。また、追加プラグコネクタ３の外壁部、即ち後述する追加側シェル４１と、第２開口部７を形成する壁部１１との間には、第２開口部７が形成される面（ＺＸ平面）において追加プラグコネクタ３が移動できるように、所定のスペースが形成されている。
【００２９】
図４は、マウントプレート５からプラグコネクタ２ａ，２ｂ及び追加プラグコネクタ３を取り外した状態、及びプラグコネクタ２ａ，２ｂから後述するアダプタ１９ａ，１９ｂを取り外した状態を示す図である。マウントプレート５は、導電性を有する部材からなり、プラグコネクタ２ａ，２ｂ及び追加プラグコネクタ３を覆うカバーとして機能する。マウントプレート５には、図４に示すように、プラグコネクタ２ａ，２ｂ及び追加プラグコネクタ３を覆い、プラグコネクタ２ａ，２ｂの嵌合部８ａ，８ｂ及び追加プラグコネクタ３の嵌合部９を露出させるための開口部１２が形成されている。
【００３０】
プラグコネクタ２ａは、プラグシェル３３ａの後方（−Ｙ方向側）に第１制御部１３ａを備えている。第１制御部１３ａは、導電性を有する部材、例えば金属からなり、２つの弾性部材１４ａ，１５ａを備えている。弾性部材１４ａは第１制御部１３ａの−Ｘ方向側、弾性部材１５ａは第１制御部１３ａの＋Ｘ方向側に形成されている。弾性部材１４ａ，１５ａは、図３に示すように開口部１２に配置され、マウントプレート５及びプラグシェル３３ａに接触している。即ち、マウントプレート５は、弾性部材１４ａ，１５ａを介してプラグシェル３３ａに電気的に接続されており、マウントプレート５とプラグシェル３３ａとは導通している。弾性部材１４ａは、開口部１２を形成する−Ｘ方向側の壁部１８を弾性力により−Ｘ方向に押している。開口部１２を形成する−Ｘ方向側の壁部１８は、弾性部材１４ａの弾性力を受けている。また、弾性部材１５ａは、開口部１２の後方、即ちマウントプレート５の−Ｙ方向側に形成されている壁部（図示せず）を弾性力により＋Ｘ方向に押している。マウントプレート５の−Ｙ方向側に形成されている壁部（図示せず）は、弾性部材１５ａの弾性力を受けている。
【００３１】
また、第１制御部１３ａは、弾性部材１４ａ，１５ａの弾性力を用いて、第１開口部６ａに対するプラグコネクタ２ａのＸ方向における位置及び姿勢、即ちＸ軸方向に対する傾きを制御する。プラグコネクタ２ａに−Ｘ方向の力を加えると、弾性部材１４ａは−Ｘ方向に縮み、弾性部材１５ａは−Ｘ方向に伸びる。したがって、プラグコネクタ２ａは、プラグシェル３３ａと壁部１０ａとの間に形成されている所定のスペース内を−Ｘ方向に移動する。プラグコネクタ２ａに＋Ｘ方向の力を加えると、弾性部材１４ａは＋Ｘ方向に伸び、弾性部材１５ａは＋Ｘ方向に縮む。したがって、プラグコネクタ２ａは、プラグシェル３３ａと壁部１０ａとの間に形成されている所定のスペース内を＋Ｘ方向に移動する。
【００３２】
また、Ｘ軸方向に対して傾いた方向の力をプラグコネクタ２ａに加えると、弾性部材１４ａ，１５ａの弾性力が変化し、プラグコネクタ２ａの姿勢は、プラグシェル３３ａと壁部１０ａとの間に形成されている所定のスペース内において力を加えた方向に変化する。また、プラグコネクタ２ａに加えられた力が解除されると、プラグコネクタ２ａは、弾性部材１４ａ，１５ａの弾性力により、プラグコネクタ２ａに力が加えられる前の位置及び姿勢に戻る。
【００３３】
また、プラグコネクタ２ａには、図２に示すように、アダプタ１９ａが連結されている。アダプタ１９ａは、図４に示すように、ハウジング３４ａ、第１ＦＦＣ３５ａ，図示しない第２ＦＦＣ、及びシェル３７ａを備えて構成されている。第１ＦＦＣ３５ａはアダプタ１９ａの＋Ｚ方向側に配置され、図示しない第２ＦＦＣはアダプタ１９ａの−Ｚ方向側に配置される。アダプタ１９ａは、第１ＦＦＣ３５ａとプラグコネクタ２ａの図示しない第１コンタクトとの接続、及び図示しない第２ＦＦＣとプラグコネクタ２ａの図示しない第２コンタクトとの接続を補助するための部材である。ハウジング３４ａは、第１ＦＦＣ３５ａ，図示しない第２ＦＦＣ及びシェル３７ａを保持する。シェル３７ａ及びハウジング３４ａは、第１ＦＦＣ３５ａ及び図示しない第２ＦＦＣの＋Ｙ方向側の部分のＺ方向における位置及び姿勢を規制する。したがって、アダプタ１９ａがプラグコネクタ２ａと嵌合したときに発生するＺ方向における反力が抑制される。
【００３４】
次に、プラグコネクタ２ｂの構成について説明する。プラグコネクタ２ｂは、プラグシェル３３ｂの後方（−Ｙ方向側）に第１制御部１３ｂ（図５参照）を備えている。第１制御部１３ｂは、導電性を有する部材、例えば金属からなり、２つの弾性部材１４ｂ，１５ｂを備えている。弾性部材１４ｂは第１制御部１３ｂの−Ｘ方向側、弾性部材１５ｂは第１制御部１３ｂの＋Ｘ方向側に形成されている。弾性部材１４ｂ，１５ｂは、図３に示すように開口部１２に配置され、マウントプレート５及びプラグシェル３３ｂに接触している。即ち、マウントプレート５は、弾性部材１４ｂ，１５ｂを介してプラグシェル３３ｂに電気的に接続されており、マウントプレート５とプラグシェル３３ｂとは導通している。弾性部材１４ｂは、マウントプレート５の−Ｙ方向側に形成されている壁部６２を弾性力により−Ｘ方向に押している。マウントプレート５の−Ｙ方向側に形成されている壁部６２は、弾性部材１４ｂの弾性力を受けている。また、弾性部材１５ｂは、開口部１２を形成する＋Ｘ方向側の壁部１８を弾性力により＋Ｘ方向に押している。開口部１２を形成する＋Ｘ方向側の壁部１８は、弾性部材１４ｂの弾性力を受けている。第１制御部１３ｂは、弾性部材１４ｂ，１５ｂの弾性力を用いて、第１開口部６ｂに対するプラグコネクタ２ｂのＸ方向における位置及び姿勢、即ちＸ軸方向に対する傾きを制御する。なお、第１制御部１３ｂにおけるプラグコネクタ２ｂの位置制御及び姿勢制御は、第１制御部１３ａにおけるプラグコネクタ２ａの位置制御及び姿勢制御と同一であるため、説明を省略する。
【００３５】
また、プラグコネクタ２ｂには、図２に示すように、アダプタ１９ｂが連結されている。アダプタ１９ｂは、図４に示すように、ハウジング３４ｂ、第１ＦＦＣ３５ｂ、第２ＦＦＣ３６ｂ（図６参照）、及びシェル３７ｂを備えて構成されている。第１ＦＦＣ３５ｂはアダプタ１９ｂの＋Ｚ方向側に配置され、第２ＦＦＣ３６ｂはアダプタ１９ｂの−Ｚ方向側に配置される。アダプタ１９ｂは、第１ＦＦＣ３５ｂとプラグコネクタ２ｂの第１コンタクト２０ｂ（図５参照）との接続、及び第２ＦＦＣ３６ｂとプラグコネクタ２ｂの第２コンタクトと２１ｂ（図５参照）の接続を補助するための部材である。ハウジング３４ｂは、第１ＦＦＣ３５ｂ、第２ＦＦＣ３６ｂ及びシェル３７ｂを保持する。シェル３７ａ及びハウジング３４ａは、第１ＦＦＣ３５ａ及び図示しない第２ＦＦＣの＋Ｙ方向側の部分のＺ方向における位置及び姿勢を規制する。したがって、アダプタ１９ｂがプラグコネクタ２ｂと嵌合したときに発生するＺ方向における反力が抑制される。
【００３６】
図５はプラグコネクタ２ｂの構成を示す分解図、図６は図２のＡ−Ａ端面図、図７は図６に示す円Ｃで囲んだ部材の拡大図である。図５及び図６に示すように、プラグコネクタ２ｂは、図示しないレセプタクルコネクタの複数のコンタクトと接続する複数（この第１の実施の形態では１２個）の第１コンタクト２０ｂ及び複数（この第１の実施の形態では１２個）の第２コンタクト２１ｂを備えている。複数の第１コンタクト２０ｂはプラグコネクタ２ｂの＋Ｚ方向側に配置され、複数の第２コンタクト２１ｂはプラグコネクタ２ｂの−Ｚ方向側に配置される。また、図６に示すように、第１コンタクト２０ｂは、＋Ｙ方向側の端部に図示しないレセプタクルコネクタのコンタクトと接触するための接点部４２を備えている。また、第２コンタクト２１ｂは、＋Ｙ方向側の端部に図示しないレセプタクルコネクタのコンタクトと接触するための接点部４３を備えている。
【００３７】
また、図７に示すように、第１コンタクト２０ｂの−Ｙ方向側の端部には、第１ＦＦＣ３５ｂの第１導体４４と接続するための第１結線部４５が形成されている。第１コンタクト２０ｂの−Ｙ方向側の端部は、第１結線部４５を含む弾性体により構成されている。したがって、第１コンタクト２０ｂは、第１結線部４５が弾性体の弾性力により第１導体４４（−Ｚ方向）に押し付けられることによって、第１導体４４と電気的に接続する。また、アダプタ１９ｂが備えるハウジング３４ｂの第１支持面４６は、第１結線部４５を第１導体４４に押し付ける力（弾性体の弾性力）を受けている。なお、第１ＦＦＣ３５ｂは、複数の第１コンタクト２０ｂのそれぞれと接続する複数の第１導体４４を備えている。
【００３８】
第２コンタクト２１ｂの−Ｙ方向側の端部には、第２ＦＦＣ３６ｂの第２導体４７と接続するための第２結線部４８が形成されている。第２コンタクト２１ｂの−Ｙ方向側の端部は、第２結線部４８を含む弾性体により構成されている。したがって、第２コンタクト２１ｂは、第２結線部４８が弾性体の弾性力により第２導体４７（＋Ｚ方向）に押し付けられることによって、第２導体４７と電気的に接続する。また、アダプタ１９ｂが備えるハウジング３４ｂの第２支持面４９が第２結線部４８を第２導体４７に押し付ける力（弾性体の弾性力）を受けている。なお、第２ＦＦＣ３６ｂは、複数の第２コンタクト２１ｂのそれぞれと接続する複数の第２導体４７を備えている。
【００３９】
また、プラグコネクタ２ｂは、図５及び図６に示すように、絶縁体から成るインサートハウジング２２ｂ及びインサートハウジング２３ｂを備えている。インサートハウジング２２ｂは複数の第１コンタクト２０ｂを保持し、インサートハウジング２３ｂは複数の第２コンタクト２１ｂを保持する。
【００４０】
また、プラグコネクタ２ｂは、第１コンタクト２０ｂと第２コンタクト２１ｂとの間にグランドプレート２４ｂを備えている。グランドプレート２４ｂの−Ｙ方向側の端部には、第１ＦＦＣ３５ｂの第１シールド部５０と接続するための複数（この第１の実施の形態では５個）の第１弾性部材５１が設けられている。図８は図２のＢ−Ｂ端面図であり、図９は図８に示す円Ｄで囲んだ部材の拡大図である。図９に示すように、第１弾性部材５１の−Ｙ方向側の端部には、第１ＦＦＣ３５ｂの第１シールド部５０と接続するための第１シールド結線部５２が形成されている。第１シールド結線部５２が第１弾性部材５１の弾性力により第１シールド部５０（＋Ｚ方向）に押し付けられることによって、第１シールド結線部５２と第１シールド部５０とが電気的に接続する。その結果、グランドプレート２４ｂは、第１弾性部材５１を介して第１ＦＦＣ３５ｂの第１シールド部５０と電気的に接続する。また、プラグコネクタ２ｂが備えるハウジング３２ｂ（後述する）の第３支持面５３は、第１シールド結線部５２を第１シールド部５０に押し付ける力（第１弾性部材５１の弾性力）を受けている。なお、第１ＦＦＣ３５ｂは、複数の第１弾性部材５１と接続する１枚の第１シールド部５０を備えている。また、第１ＦＦＣ３５ｂの複数の第１導体４４と１枚の第１シールド部５０との間には、絶縁体５４が介在している。
【００４１】
また、図５に示すように、グランドプレート２４ｂの−Ｙ方向側の端部には、第２ＦＦＣ３６ｂの第２シールド部５６（図７参照）と接続するための複数（この第１の実施の形態では５個）の第２弾性部材５５が設けられている。第２弾性部材５５の−Ｙ方向側の端部には、第２ＦＦＣ３６ｂの第２シールド部５６と接続するための第２シールド結線部５７が形成されている。第２シールド結線部５７が第２弾性部材５５の弾性力により第２シールド部５６（−Ｚ方向）に押し付けられることによって、第２シールド結線部５７と第２シールド部５６とが電気的に接続する。即ち、グランドプレート２４ｂは、第２弾性部材５５を介して第２ＦＦＣ３６ｂの第２シールド部５６と電気的に接続する。また、プラグコネクタ２ｂが備えるハウジング３２ｂの第３支持面６０（図９参照）は、第２シールド結線部５７を第２シールド部５６に押し付ける力（第２弾性部材５５の弾性力）を受けている。なお、第２ＦＦＣ３６ｂは、複数の第２弾性部材５５と接続する１枚の第２シールド部５６を備えている。また、第２ＦＦＣ３６ｂの複数の第２導体４７と１枚の第２シールド部５６との間には、絶縁体５８が介在している。
【００４２】
また、プラグコネクタ２ｂは、図５に示すように、２つのグランドコンタクト２５ｂ，２６ｂを備えている。グランドコンタクト２５ｂはプラグコネクタ２ｂの−Ｘ方向側に、グランドコンタクト２６ｂはプラグコネクタ２ｂの＋Ｘ方向側に配置されており、グランドコンタクト２５ｂ，２６ｂはグランドプレート２４ｂに接続されている。
【００４３】
また、プラグコネクタ２ｂは、プラグハウジング２７ｂを備えている。プラグハウジング２７ｂ内には、インサートハウジング２２ｂに保持されている複数の第１コンタクト２０ｂの＋Ｙ方向側の部分、インサートハウジング２３ｂに保持されている複数の第１コンタクト２０ｂの＋Ｙ方向側の部分、グランドプレート２４ｂ、及び２つのグランドコンタクト２５ｂ，２６ｂの＋Ｙ方向側の部分が配置される。インサートハウジング２２ｂ，２３ｂ及びプラグハウジング２７ｂは、複数の第１コンタクト２０ｂの＋Ｙ方向側の部分、複数の第１コンタクト２０ｂの＋Ｙ方向側の部分、及びグランドプレート２４ｂの＋Ｙ方向側の部分のＺ方向における位置及び姿勢を規制する。また、プラグハウジング２７ｂは、グランドプレートコンタクト２８ｂ，２９ｂを保持し、グランドプレートコンタクト２８ｂ，２９ｂの近傍にはそれぞれ絶縁板３０ｂ，３１ｂが配置される。
【００４４】
グランドプレートコンタクト２８ｂ及び絶縁板３０ｂは、プラグハウジング２７ｂの＋Ｚ方向側に配置されている。グランドプレートコンタクト２８ｂは、プラグコネクタ２ｂが図示しないレセプタクルコネクタと嵌合した際、レセプタクルコネクタのグランドシェルと接続する。グランドプレートコンタクト２９ｂ及び絶縁板３１ｂは、プラグハウジング２７ｂの−Ｚ方向側に配置されている。グランドプレートコンタクト２９ｂは、プラグコネクタ２ｂがレセプタクルコネクタと嵌合した際、レセプタクルコネクタのグランドシェルと接続する。
【００４５】
また、プラグコネクタ２ｂは、ハウジング３２ｂを備えている。ハウジング３２ｂ内には、インサートハウジング２２ｂに保持されている複数の第１コンタクト２０ｂの−Ｙ方向側の部分、インサートハウジング２３ｂに保持されている複数の第２コンタクト２１ｂの−Ｙ方向側の部分、グランドプレート２４ｂ、及び２つのグランドコンタクト２５ｂ，２６ｂの−Ｙ方向側の部分が配置される。ハウジング３２ｂは、その外周を第１制御部１３ｂに覆われている。ハウジング３２ｂ及び第１制御部１３ｂは、複数の第１コンタクト２０ｂの−Ｙ方向側の部分、複数の第１コンタクト２０ｂの−Ｙ方向側の部分、及びグランドプレート２４ｂの−Ｙ方向側の部分のＺ方向における位置及び姿勢を規制する。したがって、プラグコネクタ２ｂがアダプタ１９ｂと連結したときに発生するＺ方向における反力が抑制される。
【００４６】
また、プラグコネクタ２ｂはプラグシェル３３ｂを有しており、プラグシェル３３ｂは、プラグハウジング２７ｂの外周、及び第１制御部１３ｂの＋Ｙ方向側の外周を覆っている。プラグシェル３３は、インサートハウジング２２ｂ，２３ｂ及びプラグハウジング２７ｂと同様に、複数の第１コンタクト２０ｂの＋Ｙ方向側の部分、複数の第１コンタクト２０ｂの＋Ｙ方向側の部分、及びグランドプレート２４ｂの＋Ｙ方向側の部分のＺ方向における位置及び姿勢を規制する。したがって、プラグコネクタ２ｂがレセプタクルコネクタと嵌合したときに発生するＺ方向における反力が抑制される。
【００４７】
なお、プラグコネクタ２ａは、図示しない複数の第１コンタクト、図示しない複数の第２コンタクト、図示しない２つのインサートハウジング、図示しないグランドプレート、図示しない２つのグランドコンタクト、図示しないプラグハウジング、図示しない２つのグランドプレートコンタクト、図示しない２つの絶縁板、図示しないハウジング、及びプラグシェル３３ａ（図４参照）を備えている。これらの構成は、コネクタ１のＹ軸方向の中心線を線対称として、複数の第１コンタクト２０ｂ，複数の第２コンタクト２１ｂ、インサートハウジング２２ｂ，２３ｂ、グランドプレート２４ｂ、グランドコンタクト２５ｂ，２６ｂ、プラグハウジング２７ｂ、グランドプレートコンタクト２８ｂ，２９ｂ、絶縁板３０ｂ，３１ｂ、ハウジング３２ｂ、及びプラグシェル３３ｂの構成とそれぞれ同一である。
【００４８】
次に、追加プラグコネクタ３の構成について説明する。図１０は、追加プラグコネクタ３の構成を示す分解図である。追加プラグコネクタ３は、追加側シェル４１の後方（−Ｙ方向側）に第２制御部１６を備えている。第２制御部１６は、絶縁体、例えば樹脂からなり、２つの弾性部材１７ａ，１７ｂを備えている。弾性部材１７ａは第２制御部１６の−Ｘ方向側、弾性部材１７ｂは第２制御部１６の＋Ｘ方向側に形成されている。弾性部材１７ａ，１７ｂは、図３に示すように開口部１２に配置され、弾性部材１７ａは、開口部１２の後方、即ちマウントプレート５の−Ｙ方向側に形成されている壁部（図示せず）を弾性力により−Ｘ方向に押している。マウントプレート５の−Ｙ方向側に形成されている壁部（図示せず）は、弾性部材１７ａの弾性力を受けている。また、弾性部材１７ｂは、開口部１２の後方、即ちマウントプレート５の−Ｙ方向側に形成されている壁部（図示せず）を弾性力により＋Ｘ方向に押している。マウントプレート５の−Ｙ方向側に形成されている壁部（図示せず）は、弾性部材１７ｂの弾性力を受けている。第２制御部１６は、弾性部材１７ａ，１７ｂの弾性力を用いて、第２開口部７に対する追加プラグコネクタ３のＸ方向における位置及び姿勢を制御する。なお、第２制御部１６における追加プラグコネクタ３の位置制御及び姿勢制御は、第１制御部１３ａにおけるプラグコネクタ２ａの位置制御及び姿勢制御と同一であるため、説明を省略する。
【００４９】
また、追加プラグコネクタ３は、図示しない追加レセプタクルコネクタの複数のコンタクトと接続する複数のコンタクト３８，３９を備えている。複数（この第１の実施の形態では６個）のコンタクト３８は追加プラグコネクタ３の＋Ｚ方向側に配置され、複数（この第１の実施の形態では６個）のコンタクト３９は追加プラグコネクタ３の−Ｚ方向側に配置される。また、追加プラグコネクタ３は、第２制御部１６と一体に形成される追加側ハウジング４０を備えている。追加側ハウジング４０は、複数のコンタクト３８，３９を保持する。また、追加プラグコネクタ３は、追加側シェル４１を有しており、追加側シェル４１は、追加側ハウジング４０の外周を覆っている。
【００５０】
この第１の実施の形態に係るコネクタ１によれば、第１制御部１３ａ，１３ｂ及び第２制御部１６を備え、プラグコネクタが第１ＦＦＣ及び第２ＦＦＣに接続されているため、プラグコネクタ２ａ，２ｂ及び追加プラグコネクタ３の位置制御及び姿勢制御を行うことができる。即ち、プラグコネクタ２ａ，２ｂ及び追加プラグコネクタ３が所定のスペース内において移動可能に構成されているため、プラグコネクタ２ａ，２ｂ及び追加プラグコネクタ３を図示しないレセプタクルコネクタ及び相手追加レセプタクルコネクタに損傷なく確実に嵌合させることができる。また、レセプタクルコネクタと嵌合していない場合においては、第１制御部１３ａ，１３ｂによる位置制御及び姿勢制御により、プラグコネクタ２ａ，２ｂを所定の位置及び所定の姿勢に維持することができる。同様に、相手追加レセプタクルコネクタと嵌合していない場合においては、第２制御部１６による位置制御及び姿勢制御により、追加プラグコネクタ３を所定の位置及び所定の姿勢に維持することができる。即ち、プラグコネクタ２ａ，２ｂ及び追加プラグコネクタ３の実装時における位置及び姿勢のずれを確実に吸収することができる。
【００５１】
また、コネクタ１が電子機器に搭載される場合であって、電子機器に搭載されるプリント基板との相対位置が異なる場合であっても、第１コンタクト、第２コンタクト、グランドプレートの形状や長さを変更することなく、プリント基板に容易に接続することができる。即ち、第１コンタクト、第２コンタクト、グランドプレートが第１ＦＦＣ及び第２ＦＦＣに接続されているため、第１ＦＦＣ及び第２ＦＦＣを電子機器のプリント基板に接続することにより、コネクタ１とプリント基板とを第１ＦＦＣ及び第２ＦＦＣを介して電気的に接続することができる。
【００５２】
なお、上述の第１の実施の形態に係るコネクタ１においては、プラグコネクタ２ａ，２ｂ及び追加プラグコネクタ３のＸ方向の位置及びＸ軸方向に対する傾きを制御する第１制御部１３ａ，１３ｂ及び第２制御部１６を備えているが、プラグコネクタ２ａ，２ｂ及び追加プラグコネクタ３のＺ方向の位置及びＺ軸方向に対する傾きを制御するフローティングを備えることもできる。例えば、±Ｚ方向側に弾性部材を有するフローティングを開口部１２に配置し、±Ｚ方向に対する弾性部材の弾性力を用いてプラグコネクタ２ａ，２ｂ及び追加プラグコネクタ３の位置制御及び姿勢制御を行う。プラグコネクタ２ａに±Ｚ方向の力を加えると、弾性部材の弾性力により、プラグシェル３３ａと壁部１０ａとの間に形成されている所定のスペース内を±Ｚ方向に移動する。また、プラグコネクタ２ａに加えられた力が解除されると、弾性部材の弾性力により、プラグコネクタ２ａは、力が加えられる前の位置及び姿勢に戻る。プラグコネクタ２ｂ及び追加プラグコネクタ３のＺ方向の位置及びＺ軸方向に対する傾き制御も、プラグコネクタ２ａのＺ方向の位置及びＺ軸方向に対する傾き制御と同様に行う。
【００５３】
また、上述の第１の実施の形態に係るコネクタ１においては、第１制御部１３ａ，１３ｂがプラグコネクタ２ａ，２ｂのＸ方向の位置及びＸ軸方向に対する傾きを一体で制御しているが、別体で制御してもよい。例えば、弾性部材１４ａ，１４ｂを備えた一方の第１制御部、弾性部材１５ａ，１５ｂを備えた他方の第１制御部を備え、これら２つの第１制御部によりプラグコネクタ２ａ，２ｂのＸ方向の位置及びＸ軸方向に対する傾きを制御してもよい。同様に、第２制御部１６が追加プラグコネクタ３のＸ方向の位置及びＸ軸方向に対する傾きを一体で制御しているが、別体で制御してもよい。例えば、弾性部材１７ａを備えた一方の第２制御部、弾性部材１７ｂを備えた他方の第２制御部を備え、これら２つの第２制御部により追加プラグコネクタ３のＸ方向の位置及びＸ軸方向に対する傾きを制御してもよい。
【００５４】
また、上述の第１の実施の形態に係るコネクタ１においては、第１制御部１３ａ，１３ｂがプラグコネクタ２ａ，２ｂの外壁部に設けられているが、開口部１２を形成する壁部またはマウントプレート５に形成されている壁部６２等に設けてもよい。また、第２制御部１６が追加プラグコネクタ３の外壁部に設けられているが、開口部１２を形成する壁部またはマウントプレート５に形成されている壁部に設けてもよい。
【００５５】
また、上述の第１の実施の形態に係るコネクタ１においては、第１支持面４６と第１シールド結線部５２とが別体で構成されているが、第１支持面と第１シールド結線部とを一体に形成してもよい。即ち、第１支持面４６が第１結線部４５を第１導体４４に押し付ける力（弾性体の弾性力）を受けているが、第１シールド結線部５２を弾性体の弾性力を受ける第１支持部として機能させてもよい。例えば、図１１に示すように、第１結線部４５を第１導体４４に押し付ける力を受けることができる位置に第１シールド結線部５２を配置し、第１シールド結線部５２を第１支持部として機能させる。なお、この場合においては、第３支持面５３と第１結線部４５とが別体で構成されず、第３支持部と第１結線部とが一体に形成される。即ち、第３支持面５３に代えて、第１結線部４５が第１シールド結線部５２を第１シールド部５０に押し付ける力（第１弾性部材５１の弾性力）を受ける第３支持部として機能する。
【００５６】
また、上述の第１の実施の形態に係るコネクタ１においては、第２支持面４９と第２シールド結線部５７とが別体で構成されているが、第２支持面と第２シールド結線部とを一体に形成してもよい。即ち、第２支持面４９が第２結線部４８を第２導体４７に押し付ける力（弾性体の弾性力）を受けているが、第２シールド結線部５７を弾性体の弾性力を受ける第２支持部として機能させてもよい。例えば、第２結線部４８を第２導体４７に押し付ける力を受けることができる位置に第２シールド結線部５７を配置し、第２シールド結線部５７を第２支持部として機能させる。なお、この場合においては、第３支持面６０と第２結線部４８とが別体で構成されず、第３支持部と第２結線部とが一体に形成される。即ち、第３支持面６０に代えて、第２結線部４８が第２シールド結線部５７を第２シールド部５６に押し付ける力（第２弾性部材５５の弾性力）を受ける第３支持部として機能する。
【００５７】
また、上述の第１の実施の形態に係るコネクタ１においては、第１結線部４５、第１シールド結線部５２、第２結線部４８及び第２シールド結線部５７が点である場合を例に挙げて説明したが、第１結線部、第１シールド結線部、第２結線部及び第２シールド結線部の少なくとも１つが面であってもよい。また、第１結線部、第１シールド結線部、第２結線部及び第２シールド結線部の少なくとも１つが２つ以上の点または２つ以上の面であってもよい。
【００５８】
また、上述の第１の実施の形態に係るコネクタ１においては、１つの追加プラグコネクタ３を備えているが、２つ以上の追加プラグコネクタを備えてもよい。
【００５９】
また、上述の第１の実施の形態においては、グランドプレート２４ｂが第１ＦＦＣ３５ｂの第１シールド部５０及び第２ＦＦＣ３６ｂの第２シールド部５６と電気的に接続しているが、第１シールド部及び第２シールド部の少なくとも一方と接続していればよい。
【００６０】
また、上述の第１の実施の形態においては、複数の第１コンタクト２０ｂに接続する第１導体、複数の第２コンタクト２１ｂに接続する第２導体としてＦＦＣを構成する導体を例に挙げて説明したが、ＦＦＣ以外、例えばフレキシブルプリント基板（ＦＰＣ）等を構成する導体箔等を第１導体及び第２導体として用いてもよい。
【００６１】
次に、図面を参照して本発明の第２の実施の形態に係るドッキングコネクタについて説明する。図１２は、第２の実施の形態に係るプラグユニットとしてのプラグドッキングコネクタの外観を示す斜視図、図１３は、第２の実施の形態に係るプラグドッキングコネクタの外観を示す底面図である。図１２及び図１３に示すように、プラグドッキングコネクタ７５は、２つのUSB Type C規格準拠プラグコネクタ（以下、単にプラグコネクタという。）７６ａ，７６ｂ、２つの追加プラグコネクタ７７ａ，７７ｂ、２つのガイド部７８ａ，７８ｂを有する前カバー７９、及び後ろカバー８１を備えている。なお、ドッキングコネクタは、携帯型端末装置を外部機器に接続するために用いられるコネクタのことであり、機器本体に組み込まれるもの、ハウジング等により収容されケーブル等により機器と接続されているもの等、広義のドッキングコネクタのことを指す。
【００６２】
また、以下の説明においては、図１２に示すＸＹＺ直交座標系を設定し、この直交座標
を参照しつつ各部材の位置関係等について説明する。Ｘ軸は、２つのプラグコネクタ７６ａ，７６ｂを配置する方向に平行となるように設定されている。Ｙ軸は、プラグドッキングコネクタ７５をレセプタクルドッキングコネクタ７３（図１８参照）にドッキングさせる方向に平行となるように設定されている。Ｚ軸は、ＹＺ平面に直交する方向に設定されている。また、プラグコネクタ７６ｂ側が＋Ｘ方向及びプラグコネクタ７６ａ側が−Ｘ方向となるように、レセプタクルドッキングコネクタにプラグドッキングコネクタ７５をドッキングさせる方向が＋Ｙ方向及びレセプタクルドッキングコネクタからプラグドッキングコネクタ７５を抜去させる方向が−Ｙ方向となるように設定されている。
【００６３】
図１４は、プラグドッキングコネクタ７５の構成を示す分解図、図１５は、前カバー７９を−Ｙ方向から見た外観斜視図である。図１２〜図１５に示すように、前カバー７９は、プラグコネクタ７６ａ，７６ｂを覆うカバーとして機能する。
【００６４】
前カバー７９は、２つのUSB Type C規格準拠レセプタクルコネクタ（以下、単にレセプタクルコネクタという。）１１３ａ，１１３ｂを備えたレセプタクルドッキングコネクタ７３（図１８参照）とドッキングする際、プラグコネクタ７６ａ，７６ｂが２つのレセプタクルコネクタ１１３ａ，１１３ｂ（図１８参照）と嵌合する前に、レセプタクルドッキングコネクタ７３のガイド受入部１０２ａ，１０２ｂ（図１８参照）に挿入される２つのガイド部７８ａ，７８ｂを備えている。２つのガイド部７８ａ，７８ｂは、前カバー７９と一体に形成されており、前カバー７９及び２つのガイド部７８ａ，７８ｂは、樹脂により形成されている。ガイド部７８ａはプラグコネクタ７６ａの−Ｘ方向側に、ガイド部７８ｂはプラグコネクタ７６ｂの＋Ｘ方向側に形成されている。
【００６５】
ガイド部７８ａには、高強度を有する部材（この実施の形態では金属）９５ａがインサート成形されている。同様に、ガイド部７８ｂには、高強度を有する部材（この実施の形態では金属）９５ｂがインサート成形されている。金属９５ａ，９５ｂがガイド部７８ａ，７８ｂにインサート成形されることにより、ガイド部７８ａ，７８ｂの強度を増大させることができ、ガイド部７８ａ，７８ｂがレセプタクルドッキングコネクタ７３のガイド受入部１０２ａ，１０２ｂに挿入される際、ガイド部７８ａ，７８ｂが破損するのを防止することができる。なお、金属９５ａ，９５ｂは、ガイド部７８ａ，７８ｂにインサート成形される以外に、嵌め込み、埋め込み等により組み込まれていてもよい。
【００６６】
また、ガイド部７８ａ，７８ｂの＋Ｙ方向側の先端部は、プラグコネクタ７６ａ，７６ｂの＋Ｙ方向側の先端部より＋Ｙ方向に突出している。即ち、ガイド部７８ａ，７８ｂは、プラグコネクタ７６ａ，７６ｂより、ガイド部７８ａ，７８ｂがレセプタクルドッキングコネクタ７３のガイド受入部１０２ａ，１０２ｂに挿入される挿入方向（＋Ｙ方向）側に突出している。したがって、ガイド部７８ａ，７８ｂは、プラグドッキングコネクタ７５がレセプタクルドッキングコネクタ７３とドッキングする際、プラグコネクタ７６ａ，７６ｂがレセプタクルコネクタ１１３ａ，１１３ｂと嵌合する前に、レセプタクルドッキングコネクタ７３のガイド受入部１０２ａ，１０２ｂに挿入される。
【００６７】
また、プラグコネクタ７６ａ，７６ｂを配列する配列方向に直交する方向（Ｚ方向）におけるガイド部７８ａ，７８ｂの幅Ｗ（ｍｍ）は、レセプタクルコネクタ１１３ａ，１１３ｂの内径のＺ方向における内径幅Ｄ（ｍｍ）以上である。なお、ガイド部７８ａ，７８ｂの幅Ｗ（ｍｍ）は、Ｄ≦Ｗ≦（Ｄ＋０．６）であることが好ましく、Ｄ≦Ｗ≦（Ｄ＋１）であることが更に好ましい。したがって、プラグドッキングコネクタ７５がレセプタクルドッキングコネクタ７３とドッキングする際、ガイド部７８ａ，７８ｂがレセプタクルコネクタ１１３ａ，１１３ｂに誤挿入されるのを防止することができる。
【００６８】
また、ガイド部７８ａには、追加プラグコネクタ７７ａが配置、即ち組み込まれており、追加プラグコネクタ７７ａは、図１３に示すように、複数のコンタクト１１６ａを備えている。コンタクト１１６ａは、追加レセプタクルコネクタ１０３ａのコンタクト１０７ａの接続端子１０８ａ（図２４参照）と接続する接続面を有している。接続面は、ガイド部７８ａの＋Ｚ側の面と略同一面上に配置される。また、追加プラグコネクタ７７ａは、ガイド部７８ａの−Ｚ側の面にも複数のコンタクト（図示せず）を備えている。図示しないコンタクトは、追加レセプタクルコネクタ１０３ａのコンタクト１０７ａの接続端子１０８ａ（図２４参照）と接続する接続面を有している。接続面は、ガイド部７８ａの−Ｚ側の面と略同一面上に配置される。追加プラグコネクタ７７ａのコンタクト１１６ａ及び図示しないコンタクトは、図１４に示すケーブル９６ａに電気的に接続されている。
【００６９】
また、ガイド部７８ｂには、追加プラグコネクタ７７ｂが配置、即ち組み込まれており、追加プラグコネクタ７７ｂは、図１３に示すように、複数のコンタクト１１６ｂを備えている。コンタクト１１６ｂは、追加レセプタクルコネクタ１０３ｂ（図１８参照）のコンタクトの接続端子（図示せず）と接続する接続面を有している。接続面は、ガイド部７８ｂの＋Ｚ側の面と略同一面上に配置される。また、追加プラグコネクタ７７ｂは、ガイド部７８ｂの−Ｚ側の面にも複数のコンタクト（図示せず）を備えている。図示しないコンタクトは、追加レセプタクルコネクタ１０３ｂのコンタクト１０７ｂの接続端子（図示せず）と接続する接続面を有している。接続面は、ガイド部７８ｂの−Ｚ側の面と略同一面上に配置される。追加プラグコネクタ７７ｂのコンタクト１１６ｂ及び図示しないコンタクトは、図１４に示すケーブル９６ｂに電気的に接続されている。
【００７０】
また、前カバー７９のガイド部７８ａとガイド部７８ｂとの間の−Ｘ方向側には、プラグコネクタ７６ａを覆い、プラグコネクタ７６ａがレセプタクルコネクタ１１３ａ（図１８参照）と嵌合する嵌合部８０ａを露出させるための開口部８６ａが形成されている。また、前カバー７９のガイド部７８ａとガイド部７８ｂとの間の＋Ｘ方向側には、プラグコネクタ７６ｂを覆い、プラグコネクタ７６ｂがレセプタクルコネクタ１１３ｂ（図１８参照）と嵌合する嵌合部８０ｂを露出させるための開口部８６ｂが形成されている。
【００７１】
また、前カバー７９（ガイド部７８ａ，７８ｂが形成されている面の裏面）には、図１５に示すように、−Ｘ方向側にケーブル収容部９７ａ，９８ａ、＋Ｘ方向側にケーブル収容部９７ｂ，９８ｂが形成されている。ケーブル収容部９７ａは、＋Ｚ方向側に位置しており、ケーブル８３ａ（図１７参照）を収容する。ケーブル収容部９８ａは、−Ｚ方向側に位置しており、ケーブル８４ａ（図１７参照）を収容する。ケーブル収容部９７ｂは、＋Ｚ方向側に位置しており、ケーブル８３ｂ（図１４参照）を収容する。ケーブル収容部９８ｂは、−Ｚ方向側に位置しており、ケーブル８４ｂ（図１４参照）を収容する。
【００７２】
更に、前カバー７９（ガイド部７８ａ，７８ｂが形成されている面の裏面）には、図１５に示すように、−Ｘ方向側にケーブル保持部９９ａ，１００ａ、＋Ｘ方向側にケーブル保持部９９ｂ，１００ｂが形成されている。ケーブル保持部９９ａは、＋Ｚ方向側に位置しており、後ろカバー８１のケーブル保持部６９ａ（図１４参照）と共に、ケーブル８３ａ（図１４参照）を保持する。ケーブル保持部１００ａは、−Ｚ方向側に位置しており、後ろカバー８１のケーブル保持部７１ａ（図１４参照）と共に、ケーブル８４ａ（図１４参照）を保持する。ケーブル保持部９９ｂは、＋Ｚ方向側に位置しており、後ろカバー８１のケーブル保持部６９ｂ（図１４参照）と共に、ケーブル８３ｂ（図１４参照）を保持する。ケーブル保持部１００ｂは、−Ｚ方向側に位置しており、後ろカバー８１のケーブル保持部７１ｂ（図１４参照）と共に、ケーブル８４ｂ（図１４参照）を保持する。ケーブル保持部９９ａ，９９ｂ，１００ａ，１００ｂのそれぞれは、後述する後ろカバー８１のケーブル保持部６９ａ，６９ｂ，７１ａ，７１ｂのそれぞれと共にケーブル８３ａ，８３ｂ，８４ａ，８４ｂのそれぞれを保持する第２保持部として機能する。第２保持部の詳細については後述する。
【００７３】
また、プラグコネクタ７６ａの外壁部、即ち後述するプラグシェル６５ａと、開口部８６ａの＋Ｙ方向側に形成される壁部８７ａとの間には、図１２に示すように、開口部８６ａが形成される面（ＺＸ平面）において前カバー７９（前カバー７９に固定される後ろカバー８１）に対してプラグコネクタ７６ａが移動できるように、所定のスペースが形成されている。同様に、プラグコネクタ７６ｂの外壁部、即ち後述するプラグシェル６５ｂと、開口部８６ｂの＋Ｙ方向側に形成される壁部８７ｂとの間には、開口部８６ｂが形成される面（ＺＸ平面）において前カバー７９（前カバー７９に固定される後ろカバー８１）に対してプラグコネクタ７６ｂが移動できるように、所定のスペースが形成されている。
【００７４】
プラグコネクタ７６ａの外壁部と前カバー７９（開口部８６ａの−Ｙ方向側に形成される壁部８８ａ）との間には、制御部８９ａが設けられている。図１６は、制御部８９ａの構成を示す図である。制御部８９ａは、導電性を有する部材、例えば金属からなり、制御部８９ａの＋Ｚ方向側には、図１６に示すように、４つのＺ側弾性部９０ａが形成されている。また、制御部８９ａの−Ｚ方向側には、４つのＺ側弾性部９１ａが形成されている。制御部８９ａは、開口部８６ａに組み込まれており、Ｚ側弾性部９０ａは、プラグコネクタ７６ａの＋Ｚ方向側の外壁部を弾性力により−Ｚ方向に押している。プラグコネクタ７６ａの＋Ｚ方向側の外壁部は、Ｚ側弾性部９０ａの弾性力を受けている。Ｚ側弾性部９１ａは、プラグコネクタ７６ａの−Ｚ方向側の外壁部を弾性力により＋Ｚ方向に押している。プラグコネクタ７６ａの−Ｚ方向側の外壁部は、Ｚ側弾性部９１ａの弾性力を受けている。
【００７５】
制御部８９ａは、Ｚ側弾性部９０ａ，９１ａの弾性力を用いて、開口部８６ａに対するプラグコネクタ７６ａのＺ方向における位置を制御する。例えば、プラグコネクタ７６ａに−Ｚ方向の力を加えると、Ｚ側弾性部９０ａは−Ｚ方向に伸び、Ｚ側弾性部９１ａは−Ｚ方向に縮む。したがって、プラグコネクタ７６ａは、プラグコネクタ７６ａの外壁部と壁部８８ａとの間に形成されている所定のスペース内を−Ｚ方向に移動する。プラグコネクタ７６ａに＋Ｚ方向の力を加えると、Ｚ側弾性部９０ａは＋Ｚ方向に縮み、Ｚ側弾性部９１ａは＋Ｚ方向に伸びる。したがって、プラグコネクタ７６ａは、プラグコネクタ７６ａの外壁部と壁部８８ａとの間に形成されている所定のスペース内を＋Ｚ方向に移動する。
【００７６】
また、制御部８９ａの＋Ｘ方向側には、図１６に示すように、２つのＸ側弾性部９２ａが形成されている。また、制御部８９ａの−Ｘ方向側には、２つのＸ側弾性部９３ａが形成されている。Ｘ側弾性部９２ａは、プラグコネクタ７６ａの＋Ｘ方向側の外壁部を弾性力により−Ｘ方向に押している。プラグコネクタ７６ａの＋Ｘ方向側の外壁部は、Ｘ側弾性部９２ａの弾性力を受けている。Ｘ側弾性部９３ａは、プラグコネクタ７６ａの−Ｘ方向側の外壁部を弾性力により＋Ｘ方向に押している。プラグコネクタ７６ａの−Ｘ方向側の外壁部は、Ｘ側弾性部９３ａの弾性力を受けている。
【００７７】
制御部８９ａは、Ｘ側弾性部９２ａ，９３ａの弾性力を用いて、開口部８６ａに対するプラグコネクタ７６ａのＸ方向における位置を制御する。例えば、プラグコネクタ７６ａに−Ｘ方向の力を加えると、Ｘ側弾性部９２ａは−Ｘ方向に伸び、Ｘ側弾性部９３ａは−Ｘ方向に縮む。したがって、プラグコネクタ７６ａは、プラグコネクタ７６ａの外壁部と壁部８８ａとの間に形成されている所定のスペース内を−Ｘ方向に移動する。プラグコネクタ７６ａに＋Ｘ方向の力を加えると、Ｘ側弾性部９２ａは＋Ｘ方向に縮み、Ｘ側弾性部９３ａは＋Ｘ方向に伸びる。したがって、プラグコネクタ７６ａは、プラグコネクタ７６ａの外壁部と壁部８８ａとの間に形成されている所定のスペース内を＋Ｘ方向に移動する。
【００７８】
また、制御部８９ａの＋Ｙ方向側には、図１６に示すように、４つのＹ側弾性部９４ａが形成されている。制御部８９ａは、Ｙ側弾性部９４ａ及び後ろカバー８１に形成されている凸部６７ａ（図１４参照）を用いて、開口部８６ａに対するプラグコネクタ７６ａの姿勢を制御する。制御部８９ａの姿勢制御の詳細については、後述する。
【００７９】
また、プラグコネクタ７６ｂの外壁部と前カバー７９（開口部８６ｂの−Ｙ方向側に形成される壁部８８ｂ）との間には、制御部８９ｂが設けられている。制御部８９ｂは、導電性を有する部材、例えば金属からなり、開口部８６ｂに組み込まれている。制御部８９ｂの＋Ｚ方向側には、制御部８９ａのＺ側弾性部９０ａと同一の機能及び作用を有する４つのＺ側弾性部が形成されている。また、制御部８９ｂの−Ｚ方向側には、制御部８９ａのＺ側弾性部９１ａと同一の機能及び作用を有する４つのＺ側弾性部が形成されている。
【００８０】
また、制御部８９ｂの＋Ｘ方向側には、制御部８９ａのＸ側弾性部９２ａと同一の機能及び作用を有する２つのＸ側弾性部が形成されている。また、制御部８９ｂの−Ｘ方向側には、制御部８９ａのＸ側弾性部９３ａと同一の機能及び作用を有する２つのＸ側弾性部が形成されている。また、制御部８９ｂの＋Ｙ方向側には、制御部８９ａのＹ側弾性部９４ａと同一の機能及び作用を有する４つのＹ側弾性部が形成されている。なお、制御部８９ｂにおけるプラグコネクタ７６ｂの位置制御及び姿勢制御は、制御部８９ａにおけるプラグコネクタ７６ａの位置制御及び姿勢制御と同一であるため、説明を省略する。
【００８１】
次に、プラグコネクタ７６ａの構成について説明する。図１７は、図１３のＡ−Ａ断面図である。プラグコネクタ７６ａは、図１４及び図１７に示すように、回路基板８２ａに実装されている。プラグコネクタ７６ａは、図１７に示すように、レセプタクルコネクタ１１３ａ，１１３ｂ（図１８参照）の複数のコンタクト（図示せず）と接続する複数のコンタクト８５ａ及び複数のコンタクト５９ａ、並びに複数のコンタクト８５ａ，５９ａを覆うプラグシェル６５ａを備えている。複数のコンタクト８５ａそれぞれは、プラグコネクタ７６ａの＋Ｚ方向側に配置されており、コンタクト８５ａの−Ｙ方向側の端部は、回路基板８２ａに半田付け等により固定されている。また、複数のコンタクト８５ａそれぞれは、＋Ｙ方向側の端部にレセプタクルコネクタ１１３ａ，１１３ｂ（図１８参照）のコンタクト（図示せず）と接触するための接点部６１ａを備えている。複数のコンタクト５９ａのそれぞれは、プラグコネクタ７６ａの−Ｚ方向側に配置されており、コンタクト５９ａの−Ｙ方向側の端部は、回路基板８２ａに半田付け等により固定されている。また、複数のコンタクト５９ａそれぞれは、＋Ｙ方向側の端部にレセプタクルコネクタ１１３ａ，１１３ｂのコンタクト（図示せず）と接触するための接点部６３ａを備えている。
【００８２】
また、回路基板８２ａの＋Ｚ方向側には、複数のケーブル８３ａの一端が半田付け等により固定されている。複数のケーブル８３ａのそれぞれは、回路基板８２ａを介して、プラグコネクタ７６ａの＋Ｚ方向側に配置される複数のコンタクト８５ａのそれぞれに電気的に接続されている。また、回路基板８２ａの−Ｚ方向側には、複数のケーブル８４ａの一端が半田付け等により固定されている。複数のケーブル８４ａのそれぞれは、回路基板８２ａを介して、プラグコネクタ７６ａの−Ｚ方向側に配置される複数のコンタクト５９ａのそれぞれに電気的に接続されている。
【００８３】
次に、プラグコネクタ７６ｂの構成について説明する。プラグコネクタ７６ｂは、図１４に示すように、回路基板８２ｂに実装されている。また、プラグコネクタ７６ｂは、図示しない複数のコンタクト及びプラグシェル６５ｂ（図１２参照）を備えている。これらの構成は、プラグドッキングコネクタ７５のＹ軸方向の中心線を線対称として、複数のコンタクト８５ａ，５９ａ及びプラグシェル６５ａの構成とそれぞれ同一である。また、回路基板８２ｂの＋Ｚ方向側には、複数のケーブル８３ｂの一端が半田付け等により固定されている。複数のケーブル８３ｂのそれぞれは、プラグコネクタ７６ｂの＋Ｚ方向側に配置される複数のコンタクト８５ｂのそれぞれに電気的に接続されている。また、回路基板８２ｂの−Ｚ方向側には、複数のケーブル８４ｂの一端が半田付け等により固定されている。複数のケーブル８４ｂのそれぞれは、プラグコネクタ７６ｂの−Ｚ方向側に配置される複数のコンタクト（図示せず）のそれぞれに電気的に接続されている。
【００８４】
ここで、プラグコネクタ７６ａ，７６ｂを実装する回路基板８２ａ，８２ｂは、回路基板８２ａ，８２ｂに複数のケーブル８３ａ，８３ｂの一端が固定されていることから、複数のケーブル８３ａ，８３ｂの一端を保持する第１保持部として機能する。第１保持部の詳細については後述する。
【００８５】
次に、後ろカバー８１の構成について説明する。後ろカバー８１は、図１２に示すように、前カバー７９に取り付けられ固定されており、プラグコネクタ７６ａ，７６ｂを−Ｙ方向側から支持している。後ろカバー８１の−Ｘ方向側には、図１４に示すように、前カバー７９と後ろカバー８１との間に形成される空間から外部へ、ケーブル９６ａを導出するための開口部１０１ａが形成されている。ケーブル９６ａは、開口部１０１ａ内において図示しない接着剤等により固定されている。また、後ろカバー８１の＋Ｘ方向側には、前カバー７９と後ろカバー８１との間に形成される空間から外部へ、ケーブル９６ｂを導出するための開口部１０１ｂが形成されている。ケーブル９６ｂは、開口部１０１ｂ内において図示しない接着剤等により固定されている。
【００８６】
また、後ろカバー８１の＋Ｙ方向側の面には、制御部８９ａの構成の一部である凸部６７ａ、及び制御部８９ｂの構成の一部である凸部６７ｂが形成されている。２つの凸部６７ａ，６７ｂは、＋Ｙ方向側に凸面を有しており、凸部６７ａは、後ろカバー８１の＋Ｘ方向側に配置されており、＋Ｙ方向にプラグコネクタ７６ａを支持する。凸部６７ｂは、後ろカバー８１の−Ｘ方向側に配置されており、＋Ｙ方向にプラグコネクタ７６ｂを支持する。
【００８７】
制御部８９ａは、Ｙ側弾性部９４ａ（図１６参照）及び凸部６７ａ（図１４参照）を用いて、開口部８６ａに対するプラグコネクタ７６ａの姿勢、即ちＹ軸方向に対する傾きを制御する。例えば、Ｙ軸方向に対して傾いた方向の力をプラグコネクタ７６ａに加えると、凸部６７ａがプラグコネクタ７６ａを支持する方向及びＹ側弾性部９４ａの弾性力が変化する。そして、プラグコネクタ７６ａの姿勢は、プラグシェル６５ａと壁部８７ａとの間に形成されている所定のスペース内において力を加えた方向に変化する。即ち、プラグコネクタ７６ａは、開口部８６ａが形成されている面に対して傾く。プラグコネクタ７６ａが傾いた側に配置されるＹ側弾性部９４ａは、その弾性力を用いてプラグコネクタ７６ａを押すことにより、プラグコネクタ７６ａの傾きを補正する補正部として機能する。プラグコネクタ７６ａに加えられた力が解除されると、プラグコネクタ７６ａは、Ｙ側弾性部９４ａの弾性力により、プラグコネクタ７６ａに力が加えられる前の姿勢に戻る。
【００８８】
また、後ろカバー８１には、図１４に示すように、＋Ｚ方向側の側部にケーブル保持部６９ａ，６９ｂ、−Ｚ方向側の側部にケーブル保持部７１ａ，７１ｂが形成されている。ケーブル保持部６９ａは、−Ｘ方向側に位置しており、前カバー７９のケーブル保持部９９ａ（図１５参照）と共に、ケーブル８３ａを保持する。ケーブル保持部６９ｂは、＋Ｘ方向側に位置しており、前カバー７９のケーブル保持部９９ｂ（図１５参照）と共に、ケーブル８３ｂを保持する。ケーブル保持部７１ａは、−Ｘ方向側に位置しており、前カバー７９のケーブル保持部１００ａ（図１５参照）と共に、ケーブル８４ａを保持する。ケーブル保持部７１ｂは、＋Ｘ方向側に位置しており、ケーブル保持部１００ｂ（図１５参照）と共に、ケーブル８４ｂを保持する。ケーブル保持部６９ａ，６９ｂ，７１ａ，７１ｂのそれぞれは、前カバー７９のケーブル保持部９９ａ，９９ｂ，１００ａ，１００ｂのそれぞれと共にケーブル８３ａ，８３ｂ，８４ａ，８４ｂのそれぞれを保持する第２保持部として機能する。
【００８９】
この第２の実施の形態において、ケーブル８３ａ（図１４参照）は、プラグコネクタ７６ａの移動に伴い追従するフレキシブル部を有し、フレキシブル部は、第１保持部としての回路基板８２ａ（図１４参照）と第２保持部としてのケーブル保持部９９ａ（図１５参照）及びケーブル保持部６９ａ（図１４参照）との間にあるケーブル収容部９７ａ（図１５参照）に収容されている。回路基板８２ａは、プラグコネクタ７６ａに対して固定されており、フレキシブル部であるケーブル８３ａの一端を保持する第１保持部として機能する。前カバー７９のケーブル保持部９９ａ及び後ろカバー８１のケーブル保持部６９ａは、カバーである前カバー７９及び後ろカバー８１に設けられており、フレキシブル部であるケーブル８３ａの他端を保持する第２保持部として機能する。
【００９０】
このフレキシブル部、第１保持部及び第２保持部を備えることにより、プラグコネクタ７６ａは、前カバー７９及び後ろカバー８１に対して他の部材による制限を受けることなく移動することができる。なお、フレキシブル部は、ケーブル８３ａである必要はなく、例えばプラグコネクタ７６ａのコンタクト８５ａであってもよい。また、第１保持部は、回路基板８２ａである必要はなく、例えばプラグコネクタ７６ａであってもよい。
【００９１】
次に、図面を参照して本発明の第２の実施の形態に係るレセプタクルユニットとしてのレセプタクル側のドッキングコネクタ（以下、レセプタクルドッキングコネクタという。）について説明する。図１８は、第２の実施の形態に係るレセプタクルドッキングコネクタの外観を示す斜視図、図１９は、第２の実施の形態に係るレセプタクルドッキングコネクタの外観を示す正面図、図２０は、第２の実施の形態に係るレセプタクルドッキングコネクタの外観を示す平面図、図２１は、第２の実施の形態に係るレセプタクルドッキングコネクタの外観を示す底面図である。レセプタクルドッキングコネクタ７３は、タブレット型ＰＣ等の携帯型端末装置（電子機器）に搭載されており、図１８に示すように、２つのレセプタクルコネクタ１１３ａ，１１３ｂ、２つの追加レセプタクルコネクタ１０３ａ，１０３ｂ及び２つのガイド受入部１０２ａ，１０２ｂを有するガイドシェル１０４を備えている。
【００９２】
図２２及び図２３はレセプタクルドッキングコネクタ７３の構成について説明するための分解図であり、図２２は正面側から見た斜視図、図２３は背面側から見た斜視図である。レセプタクルコネクタ１１３ａは、プラグコネクタ７６ａ（図１２参照）と嵌合し、図１９に示すように、レセプタクルコネクタ１１３ａが備えるコンタクト等（図示せず）を覆うレセプタクルシェル１０５ａを備えている。レセプタクルコネクタ１１３ｂは、プラグコネクタ７６ｂ（図１２参照）と嵌合し、図１９に示すように、レセプタクルコネクタ１１３ｂが備えるコンタクト等（図示せず）を覆うレセプタクルシェル１０５ｂを備えている。
【００９３】
レセプタクルコネクタ１１３ａ，１１３ｂは、プラグコネクタ７６ａ，７６ｂと嵌合する嵌合方向（Ｙ方向）と基板１０６の実装面（＋Ｚ方向側の面）とが平行となるように実装面に実装されている。また、レセプタクルコネクタ１１３ａ，１１３ｂは、それぞれ個別に基板１０６に実装されている。即ち、レセプタクルコネクタ１１３ａは、レセプタクルコネクタ１１３ｂとは別に基板１０６に実装されている。なお、この第２の実施の形態では、２つのレセプタクルコネクタ１１３ａ，１１３ｂを備えているが、３つ以上のレセプタクルコネクタを備えるようにしてもよい。また、３つ以上のレセプタクルコネクタを備える場合には、３つ以上のレセプタクルコネクタのうちの少なくとも１つのレセプタクルコネクタは、他の少なくとも１つのレセプタクルコネクタとは別に基板１０６に実装される。例えば、３つのレセプタクルコネクタを備える場合には、各レセプタクルコネクタが個別に基板１０６に実装、または２つのレセプタクルコネクタが一体に基板１０６に実装され１つのレセプタクルコネクタが他の２つのレセプタクルコネクタとは別に基板１０６に実装される。
【００９４】
追加レセプタクルコネクタ１０３ａは、図１８に示すように、レセプタクルドッキングコネクタ７３の−Ｘ方向側に位置しており、ガイド受入部１０２ａ内に配置されている。図２４は、図１９のＢ−Ｂ断面図である。追加レセプタクルコネクタ１０３ａは、図１９及び図２４に示すように、複数（この第２の実施の形態では１２個）のコンタクト１０７ａを備えている。コンタクト１０７ａの一端部には、図２４に示すように、追加プラグコネクタ７７ａのコンタクト１１６ａ及び図示しないコンタクトと接続する弾性体の接続端子１０８ａが形成されている。コンタクト１０７ａの他端部は、図２４に示すように、電線１０９ａと電気的に接続されている。
【００９５】
追加レセプタクルコネクタ１０３ｂは、図１８に示すように、レセプタクルドッキングコネクタ７３の＋Ｘ方向側に位置しており、ガイド受入部１０２ｂ内に配置されている。追加レセプタクルコネクタ１０３ｂは、複数（この第２の実施の形態では１２個）のコンタクト１０７ｂを備えている。コンタクト１０７ｂの一端部には、追加レセプタクルコネクタ１０３ａのコンタクト１０７ａと同様に、追加プラグコネクタ７７ｂのコンタクト１１６ｂ及び図示しないコンタクトと接続する弾性体の接続端子（図示せず）が形成されている。コンタクト１０７ｂの他端部は、電線１０９ｂと電気的に接続されている。
【００９６】
なお、上述の第２の実施の形態においては、プラグコネクタ７６ａをレセプタクルコネクタ１１３ａに、プラグコネクタ７６ｂをレセプタクルコネクタ１１３ｂに嵌合させる場合を例に挙げて説明した。この場合においては、追加レセプタクルコネクタ１０３ａと追加プラグコネクタ７７ａとが嵌合し、追加レセプタクルコネクタ１０３ｂと追加プラグコネクタ７７ｂとが嵌合する。しかしながら、この第２の実施の形態に係るプラグドッキングコネクタ７５及びレセプタクルドッキングコネクタ７３は、リバーシブルコネクタであり、レセプタクルコネクタ１１３ａとプラグコネクタ７６ｂとを、レセプタクルコネクタ１１３ｂとプラグコネクタ７６ａとを嵌合させることも可能である。この場合においては、追加レセプタクルコネクタ１０３ａと追加プラグコネクタ７７ｂとが嵌合し、追加レセプタクルコネクタ１０３ｂは追加プラグコネクタ７７ａとが嵌合する。
【００９７】
次に、ガイドシェル１０４の構成について説明する。ガイドシェル１０４は、金属等により形成されており、−Ｘ方向側に配置されるガイド受入部１０２ａ及び追加レセプタクルコネクタ１０３ａ、並びに＋Ｘ方向側に配置されるガイド受入部１０２ｂ及び追加レセプタクルコネクタ１０３ｂを備えている。即ち、ガイド受入部１０２ａ，１０２ｂは、一体に形成されている。ガイドシェル１０４は、図１８に示すように、レセプタクルコネクタ１１３ａ，１１３ｂの＋Ｚ方向側の外周を覆っている。
【００９８】
また、ガイドシェル１０４は、図２３に示すように、ガイド部７８ａ，７８ｂ（図１２参照）をガイド受入部１０２ａ，１０２ｂに挿入する挿入方向（＋Ｙ方向）に対して、レセプタクルコネクタ１１３ａ，１１３ｂを支持する支持部１１０ａ，１１０ｂを備えている。ガイドシェル１０４（支持部１１０ａ，１１０ｂ）は、図２３に示すように、レセプタクルコネクタ１１３ａ，１１３ｂの＋Ｙ方向側の外周を覆っている。支持部１１０ａ，１１０ｂは、ガイド部７８ａ，７８ｂをガイド受入部１０２ａ，１０２ｂに挿入する際に生じる＋Ｙ方向にかかる力を受ける。また、支持部１１０ａ，１１０ｂは、レセプタクルコネクタ１１３ａ，１１３ｂの基板１０６への取り付け強度を上げる。
【００９９】
また、ガイドシェル１０４には、追加レセプタクルコネクタ１０３ａの近傍の−Ｘ方向側にネジを通すための孔１１１ａ、追加レセプタクルコネクタ１０３ｂの近傍の＋Ｘ方向側にネジを通すための孔１１１ｂが設けられている。また、ガイドシェル１０４には、追加レセプタクルコネクタ１０３ａとレセプタクルコネクタ１１３ａとの間にネジを通すための孔１１４ａ、レセプタクルコネクタ１１３ａとレセプタクルコネクタ１１３ｂとの間にネジを通すための孔１１４ｂ、レセプタクルコネクタ１１３ｂと追加レセプタクルコネクタ１０３ｂとの間にネジを通すための孔１１４ｃが設けられている。孔１１１ａ，１１１ｂ，１１４ａ〜１１４ｃは、携帯型端末装置の筐体にガイドシェル１０４を固定するための固定部として機能する。孔１１１ａと基板１０６に形成されているネジを通すための孔１１２ａとにネジを通し、孔１１１ｂと基板１０６に形成されているネジを通すための孔１１２ｂとにネジを通し、孔１１４ａと基板１０６に形成されているネジを通すための孔１１５ａとにネジを通し、孔１１４ｂと基板１０６に形成されているネジを通すための孔１１５ｂとにネジを通し、孔１１４ｃと基板１０６に形成されているネジを通すための孔１１５ｃとにネジを通し、ガイドシェル１０４及び基板１０６は、携帯型端末装置の筐体（図示せず）にネジ止めされる。即ち、ガイドシェル１０４は、レセプタクルコネクタ１１３ａ，１１３ｂが基板１０６に実装された後、基板１０６と共に該筐体に固定される。このとき、ガイドシェル１０４は、基板１０６の実装面（＋Ｚ方向側の面）に対向する位置（＋Ｚ方向側）から携帯型端末装置の筐体に取り付けられる。
【０１００】
図２５は、図２０のＣ−Ｃ断面図である。ガイドシェル１０４とレセプタクルコネクタ１１３ａのレセプタクルシェル１０５ａとは、図２５に示すように、導通している。同様に、ガイドシェル１０４とレセプタクルコネクタ１１３ｂのレセプタクルシェル１０５ｂとは、導通している。
【０１０１】
この第２の実施の形態に係るプラグドッキングコネクタ７５によれば、ガイド部７８ａ，７８ｂを備えているため、プラグコネクタ７６ａ，７６ｂがレセプタクルコネクタ１１３ａ，１１３ｂと嵌合する前に、ガイド部７８ａ，７８ｂがレセプタクルドッキングコネクタ７３のガイド受入部１０２ａ，１０２ｂに挿入される。したがって、プラグコネクタ７６ａ，７６ｂをレセプタクルコネクタ１１３ａ，１１３ｂに損傷なく確実に嵌合させることができる。
【０１０２】
また、この第２の実施の形態に係るプラグドッキングコネクタ７５によれば、制御部８９ａ，８９ｂを備え、プラグコネクタ７６ａ，７６ｂが回路基板８２ａ，８２ｂを介してケーブル８３ａ，８３ｂ，８４ａ，８４ｂ（フレキシブル部）に接続されており、フレキシブル部は第１保持部及び第２保持部に保持されている。したがって、プラグコネクタ７６ａ，７６ｂの位置制御及び姿勢制御を行うことができる。即ち、プラグコネクタ７６ａ，７６ｂが所定のスペース内において移動可能に構成されているため、公差を最小限に抑えることができ、プラグコネクタ７６ａ，７６ｂをレセプタクルコネクタ１１３ａ，１１３ｂに損傷なく確実に嵌合させることができる。また、レセプタクルコネクタ１１３ａ，１１３ｂと嵌合していない場合においては、制御部８９ａ，８９ｂによる位置制御及び姿勢制御により、プラグコネクタ７６ａ，７６ｂを所定の位置及び所定の姿勢に維持することができる。即ち、プラグコネクタ７６ａ，７６ｂの実装時における位置及び姿勢のずれを確実に吸収することができる。
【０１０３】
また、この第２の実施の形態に係るレセプタクルドッキングコネクタ７３によれば、ガイド受入部１０２ａ，１０２ｂを備えているため、プラグコネクタ７６ａ，７６ｂがレセプタクルコネクタ１１３ａ，１１３ｂと嵌合する前に、ガイド部７８ａ，７８ｂがガイド受入部１０２ａ，１０２ｂに挿入される。したがって、プラグコネクタ７６ａ，７６ｂをレセプタクルコネクタ１１３ａ，１１３ｂに損傷なく確実に嵌合させることができる。
【０１０４】
また、この第２の実施の形態に係るレセプタクルドッキングコネクタ７３によれば、レセプタクルコネクタ１１３ａ，１１３ｂをそれぞれ個別に基板１０６に実装し、その後基板１０６を携帯型端末装置の筐体に取り付ける際に基板１０６と共にガイドシェル１０４を取り付ける。したがって、基板１０６の実装面に対するレセプタクルドッキングコネクタ７３の平坦度（コプラナリティ）を良好に維持することができ、平坦度が劣ることによる半田付け不良を防止することができる。
【０１０５】
また、この第２の実施の形態に係るレセプタクルドッキングコネクタ７３によれば、ガイドシェル１０４によりレセプタクルコネクタ１１３ａ，１１３ｂを覆い、ガイドシェル１０４とレセプタクルシェル１０５ａ，１０５ｂとが導通している。したがって、レセプタクルシェル１０５ａ，１０５ｂがレセプタクルコネクタ１１３ａ，１１３ｂのインナーシェルとして機能しているのに対し、ガイドシェル１０４をレセプタクルコネクタ１１３ａ，１１３ｂのアウターシェルとして機能させることができる。また、ガイドシェル１０４がレセプタクルコネクタ１１３ａ，１１３ｂを覆い、基板１０６に固定されているため、レセプタクルコネクタ１１３ａ，１１３ｂの基板１０６への取り付け強度を向上させることができる。
【０１０６】
また、複数の標準規格準拠のコネクタ等の所定規格コネクタを有するドッキングコネクタに更にコネクタを追加した場合、ドッキングコネクタのサイズが大きくなるという問題があったが、この第２の実施の形態に係るプラグドッキングコネクタ７５によれば、ガイド部７８ａ，７８ｂに追加プラグコネクタ７７ａ，７７ｂを配置するため、プラグドッキングコネクタ７５を小型化することができる。同様に、この第２の実施の形態に係るレセプタクルドッキングコネクタ７３によれば、ガイド受入部１０２ａ，１０２ｂに追加レセプタクルコネクタ１０３ａ，１０３ｂを配置するため、レセプタクルドッキングコネクタ７３を小型化することができる。
【０１０７】
なお、上述の第２の実施の形態に係るプラグドッキングコネクタ７５においては、プラグコネクタ７６ａ，７６ｂが回路基板８２ａ，８２ｂに実装されており、プラグコネクタ７６ａ，７６ｂのコンタクト８５ａ，５９ａ，８５ｂとケーブル８３ａ，８３ｂ，８４ａ，８４ｂとが回路基板８２ａ，８２ｂを介して電気的に接続されている。しかしながら、これに代えて、例えば図２６に示すようなプラグドッキングコネクタ１１７を用いてもよい。図２６はプラグドッキングコネクタ１１７の外観を示す斜視図、図２７はプラグドッキングコネクタ１１７の外観を示す底面図、図２８はプラグドッキングコネクタ１１７の構成を示す分解図、図２９は図２７のＥ−Ｅ断面図である。
【０１０８】
図２８及び図２９に示すように、プラグドッキングコネクタ１１７を構成するプラグコネクタ１１８ａ，１１８ｂは回路基板に実装されておらず、プラグコネクタ１１８ａ，１１８ｂの複数のコンタクト１１９ａ，１１９ｂとケーブル１２０ａ，１２０ｂとが半田付け等により直接接続されている。プラグドッキングコネクタ１１７が電子機器等に搭載される場合であって、電子機器に搭載されるプリント基板との相対位置が異なる場合であっても、プラグコネクタ１１８ａ，１１８ｂの複数のコンタクト１１９ａ，１１９ｂの形状や長さを変更することなく、プリント基板に容易に接続することができる。即ち、コンタクト１１９ａ，１１９ｂがケーブル１２０ａ，１２０ｂに接続されているため、ケーブル１２０ａ，１２０ｂを電子機器のプリント基板に接続することにより、プラグコネクタ１１８ａ，１１８ｂとプリント基板とをケーブル１２０ａ，１２０ｂを介して電気的に接続することができる。
【０１０９】
また、上述の第２の実施の形態に係るプラグドッキングコネクタ７５においては、制御部８９ａがプラグコネクタ７６ａの位置及び姿勢を制御し、且つ制御部８９ｂがプラグコネクタ７６ｂの位置及び姿勢を制御しているが、制御部８９ａのみを備える構成、または制御部８９ｂのみを備える構成にしてもよい。制御部８９ａ（または８９ｂ）のみを備える場合には、予めプラグコネクタ７６ｂ（または７６ａ）の位置及び姿勢を規定し、プラグコネクタ７６ａ（または７６ｂ）のみの位置及び姿勢を制御する。
【０１１０】
また、上述の第２の実施の形態に係るプラグドッキングコネクタ７５においては、制御部８９ａ，８９ｂがＹ側弾性部９４ａ及び後ろカバー８１の凸部６７ａ，６７ｂを用いてプラグコネクタ７６ａ，７６ｂの姿勢を制御しているが、回路基板８２ａ，８２ｂと後ろカバー８１との間に弾性部と凸部を有する姿勢制御部を備え、この姿勢制御部によりプラグコネクタ７６ａ，７６ｂの姿勢を制御してもよい。
【０１１１】
また、上述の第２の実施の形態に係るレセプタクルドッキングコネクタ７３においては、図２４に示すように、コンタクト１０７ａ，１０７ｂの他端部が電線１０９ａ，１０９ｂと電気的に接続されているが、これに代えて、追加レセプタクルコネクタ１０３，１０３ｂが追加プラグコネクタ７７ａ，７７ｂと嵌合する第１嵌合部とは別に基板１０６に予め実装されているコネクタと嵌合する第２嵌合部を備えるようにしてもよい。この場合には、コンタクト１０７ａ，１０７ｂの一端部は追加プラグコネクタ７７ａ，７７ｂのコンタクト１１６ａ，１１６ｂ及び図示しないコンタクトと電気的に接続し、コンタクト１０７ａ，１０７ｂの他端部は基板１０６に予め実装されているコネクタのコンタクトと電気的に接続する。
【０１１２】
また、上述の第２の実施の形態に係るレセプタクルドッキングコネクタ７３においては、図２４に示すように、コンタクト１０７ａ，１０７ｂの他端部が電線１０９ａ，１０９ｂと電気的に接続されているが、これに代えて、例えば図３０に示すようなレセプタクルドッキングコネクタ１２１を用いてもよい。図３０はレセプタクルドッキングコネクタ１２１の外観を示す斜視図、図３１はレセプタクルドッキングコネクタ１２１の外観を示す正面図、図３２はレセプタクルドッキングコネクタ１２１の構成を示す分解図、図３３は図３１のＦ−Ｆ断面図である。図３０〜図３３に示すように、レセプタクルドッキングコネクタ１２１を構成する追加レセプタクルコネクタ１２２ａ，１２２ｂのコンタクト１２３ａ，１２３ｂには、電線が接続されていない。また、レセプタクルドッキングコネクタ１２１を構成するガイドシェル１２４は、プラグドッキングコネクタのガイド部をガイド受入部１２５ａ，１２５ｂに挿入する挿入方向（＋Ｙ方向）に対して、追加レセプタクルコネクタ１２２ａ，１２２ｂを支持している。
【０１１３】
また、上述の第２の実施の形態に係るレセプタクルドッキングコネクタ７３においては、２つのガイド受入部１０２ａ，１０２ｂを備えているが、１つのガイド受入部または３つ以上のガイド受入部を備えるようにしてもよい。３つ以上のガイド受入部を備える場合であっても、ガイド受入部は一体に形成される。
【０１１４】
また、この第２の実施の形態に係るレセプタクルドッキングコネクタ７３によれば、リバーシブルコネクタであり、２つの追加レセプタクルコネクタ１０３ａ，１０３ｂを備えているが、１つの追加レセプタクルコネクタを備えるようにしてもよい。この場合においては、プラグコネクタ７６ａがレセプタクルコネクタ１１３ａと嵌合する際、追加プラグコネクタ７７ａが追加レセプタクルコネクタと嵌合し、プラグコネクタ７６ｂがレセプタクルコネクタ１１３ｂと嵌合する際、追加プラグコネクタ７７ｂが追加レセプタクルコネクタと嵌合する。
【０１１５】
また、上述の第２の実施の形態においては、ガイド部７８ａ，７８ｂの先端部のみがプラグコネクタ７６ａ，７６ｂの先端部より突出しているが、ガイド受入部１０２ａ，１０２ｂの先端部のみがレセプタクルコネクタ１１３ａ，１１３ｂの先端部より突出していてもよい。また、ガイド部７８ａ，７８ｂの先端部がプラグコネクタ７６ａ，７６ｂの先端部より突出し、且つガイド受入部１０２ａ，１０２ｂの先端部がレセプタクルコネクタ１１３ａ，１１３ｂの先端部より突出していてもよい。
【０１１６】
また、上述の第２の実施の形態に係るプラグドッキングコネクタにおいては、２つの追加プラグコネクタを備えているが、１つまたは３つ以上の追加プラグコネクタを備えてもよい。同様に、上述の第２の実施の形態に係るレセプタクルドッキングコネクタにおいては、２つの追加レセプタクルコネクタを備えているが、１つまたは３つ以上の追加レセプタクルコネクタを備えてもよい。
【０１１７】
なお、上述の各実施の形態においては、２つのUSB Type C規格準拠プラグコネクタを備えているが、３つ以上のUSB Type C規格準拠プラグコネクタを備えてもよい。また、USB Type C規格準拠プラグコネクタに代えて、USB Type C規格準拠プラグコネクタ以外の複数の標準規格準拠のプラグコネクタを備えてもよい。また、標準規格準拠のプラグコネクタ以外の所定の規格を有する複数の所定規格プラグコネクタを備えてもよい。
【０１１８】
同様に、上述の第２の実施の形態に係るレセプタクルドッキングコネクタにおいては、２つのUSB Type C規格準拠レセプタクルコネクタを備えているが、３つ以上のUSB Type C規格準拠レセプタクルコネクタを備えてもよい。また、USB Type C規格準拠レセプタクルコネクタに代えて、USB Type C規格準拠レセプタクルコネクタ以外の複数の標準規格準拠のレセプタクルコネクタを備えてもよい。また、標準規格準拠のレセプタクルコネクタ以外の所定の規格を有する複数の所定規格レセプタクルコネクタを備えてもよい。
【０１１９】
また、上述の各実施の形態においては、プラグコネクタの位置及び姿勢を制御しているが、プラグコネクタの位置のみを制御する構成にしてもよく、またはプラグコネクタの姿勢のみを制御する構成にしてもよい。
【符号の説明】
【０１２０】
１…コネクタ、２ａ，２ｂ…プラグコネクタ、３…追加プラグコネクタ、４…筐体、５…マウントプレート、６ａ，６ｂ…第１開口部、７…第２開口部、８ａ，８ｂ，９…嵌合部、１０ａ，１０ｂ，１１，１８…壁部、１２…開口部、１３ａ，１３ｂ…第１制御部、１４ａ，１４ｂ，１５ａ，１５ｂ，１７ａ，１７ｂ…弾性部材、１６…第２制御部、１９ａ，１９ｂ…アダプタ、２０ｂ…第１コンタクト、２１ｂ…第２コンタクト、２２ｂ，２３ｂ…インサートハウジング、２４ｂ…グランドプレート、２５ｂ，２６ｂ…グランドコンタクト、２７ｂ…プラグハウジング、２８ｂ，２９ｂ…グランドプレートコンタクト、３０ｂ，３１ｂ…絶縁板、３２ｂ…ハウジング、３３ａ，３３ｂ…プラグシェル、３４ａ，３４ｂ…ハウジング、３５ａ，３５ｂ…第１ＦＦＣ、３６ｂ…第２ＦＦＣ、３７ａ，３７ｂ…シェル、３８，３９…コンタクト、４０…追加側ハウジング、４１…追加側シェル、４２，４３…接点部、４４…第１導体、４５…第１結線部、４６…第１支持面、４７…第２導体、４８…第２結線部、４９…第２支持面、５０…第１シールド部、５１…第１弾性部材、５２…第１シールド結線部、５３，６０…第３支持面、５４，５８…絶縁体、５５…第２弾性部材、５６…第２シールド部、５７…第２シールド結線部、６１ａ，６３ａ…接点部、６５ａ，６５ｂ…プラグシェル，６７ａ，６７ｂ…凸部、６９ａ，６９ｂ，７１ａ，７１ｂ，９９ａ，９９ｂ，１００ａ，１００ｂ…ケーブル保持部、７３，１２１…レセプタクルドッキングコネクタ、７５，１１７…プラグドッキングコネクタ、７６ａ，７６ｂ，１１８ａ，１１８ｂ…プラグコネクタ、７７ａ，７７ｂ…追加プラグコネクタ、７８ａ，７８ｂ…ガイド部、７９…前カバー、８０ａ，８０ｂ…嵌合部、８１…後ろカバー、８２ａ，８２ｂ…回路基板、８３ａ，８３ｂ，８４ａ，８４ｂ，９６ａ，９６ｂ，１２０ａ，１２０ｂ…ケーブル、８５ａ，８５ｂ，５９ａ，１０７ａ，１０７ｂ，１１６ａ，１１６ｂ，１１９ａ，１１９ｂ，１２３ａ，１２３ｂ…コンタクト、８６ａ，８６ｂ，１０１ａ，１０１ｂ…開口部、８７ａ，８７ｂ，８８ａ，８８ｂ…壁部、８９ａ，８９ｂ…制御部、９０ａ，９１ａ…Ｚ側弾性部、９２ａ，９３ａ…Ｘ側弾性部、９４ａ…Ｙ側弾性部、９５ａ，９５ｂ…金属、９７ａ，９７ｂ，９８ａ，９８ｂ…ケーブル収容部、１０２ａ，１０２ｂ，１２５ａ，１２５ｂ…ガイド受入部、１０３ａ，１０３ｂ，１２２ａ，１２２ｂ…追加レセプタクルコネクタ、１０４，１２４…ガイドシェル、１０５ａ，１０５ｂ…レセプタクルシェル、１０６…基板、１０８ａ…接続端子、１０９ａ，１０９ｂ…電線、１１０ａ，１１０ｂ…支持部、１１１ａ，１１１ｂ，１１２ａ，１１２ｂ，１１４ａ〜１１４ｃ，１１５ａ〜１１５ｃ…孔、１１３ａ，１１３ｂ…レセプタクルコネクタ。
【図１】
2018026366.tif 000003
【図２】
2018026366.tif 000004
【図３】
2018026366.tif 000005
【図４】
2018026366.tif 000006
【図５】
2018026366.tif 000007
【図６】
2018026366.tif 000008
【図７】
2018026366.tif 000009
【図８】
2018026366.tif 000010
【図９】
2018026366.tif 000011
【図１０】
2018026366.tif 000012
【図１１】
2018026366.tif 000013
【図１２】
2018026366.tif 000014
【図１３】
2018026366.tif 000015
【図１４】
2018026366.tif 000016
【図１５】
2018026366.tif 000017
【図１６】
2018026366.tif 000018
【図１７】
2018026366.tif 000019
【図１８】
2018026366.tif 000020
【図１９】
2018026366.tif 000021
【図２０】
2018026366.tif 000022
【図２１】
2018026366.tif 000023
【図２２】
2018026366.tif 000024
【図２３】
2018026366.tif 000025
【図２４】
2018026366.tif 000026
【図２５】
2018026366.tif 000027
【図２６】
2018026366.tif 000028
【図２７】
2018026366.tif 000029
【図２８】
2018026366.tif 000030
【図２９】
2018026366.tif 000031
【図３０】
2018026366.tif 000032
【図３１】
2018026366.tif 000033
【図３２】
2018026366.tif 000034
【図３３】
2018026366.tif 000035